(57)【要約】    【課題】その組成成分としてカドミウムや硫黄等の有害な成分を含んでいる照度センサを必要とせずに被写体の照度を測定し、環境問題への対応およびコストの低減化を図る。    【解決手段】カメラ子機１のＣＣＤ素子１１からの出力信号であり当該ＣＣＤ素子にて撮像された映像信号レベルに対応して信号処理回路１０１にて得られる制御電圧、例えば、ＡＧＣ制御電圧により被写体の照度を測定し、測定された照度レベルに対応して補助照明灯１２を点灯制御およびＡＧＣアンプ１０２の利得量を変化させてＣＣＤ素子の自動露光制御を行う。    【選択図】図２
2005286539.tif 000002
【特許請求の範囲】
【請求項１】
インターホン親機（２）を呼び出して通話を行うためのカメラ子機（１）を設け、
前記カメラ子機は、補助照明灯（１２）から被写体を照射して前記被写体の映像を撮像することにより映像信号を生成するとともに前記被写体の照度検出を行うためのＣＣＤ素子（１１）を使用し、前記ＣＣＤ素子からの出力信号にて得られる前記被写体の照度により前記補助照明灯を点灯制御することを特徴とするテレビドアホン装置。
【請求項２】
前記ＣＣＤ素子からの出力信号を信号処理して得られる制御電圧により前記被写体の照度を測定し、前記補助照明灯を点灯制御するための信号処理回路（１０１）を備えたことを特徴とする請求項１記載のテレビドアホン装置。
【請求項３】
前記信号処理回路は、前記ＣＣＤ素子からの映像信号レベルに対応して得られるＡＧＣ制御電圧により自動露光制御を行うように利得量が変化されるＡＧＣアンプ（１０２）を接続することを特徴とする請求項２記載のテレビドアホン装置。
【請求項４】
前記信号処理回路は、前記ＣＣＤ素子からの映像信号をＮＴＳＣ方式の信号に信号処理して前記インターホン親機のテレビモニタ（２３）へ出力することを特徴とする請求項２または請求項３記載のテレビドアホン装置。
【発明の詳細な説明】
【技術分野】
【０００１】
本発明はテレビドアホン装置に係り、特に、照度センサを必要とせずに被写体の照度を検出することができるテレビドアホン装置に関する。
【背景技術】
【０００２】
従来から、この種のテレビドアホン装置として、図３のシステム説明図に示す構成のテレビドアホン装置が提案されている。
【０００３】
図３のシステム説明図に示すテレビドアホン装置において、住戸外、例えば、住戸玄関に設置されるカメラ子機５０１には、呼出ボタン５１０、ＣＣＤ（Charge Coupled Devices）素子５１１、補助照明灯５１２、照度センサ５１３、子機マイク５１４、子機スピーカ５１５が備えられている。また、住戸内に設置されるインターホン親機５０２には、親機スピーカ５２０、親機マイク５２１、通話ボタン５２２、テレビモニタ５２３が備えられており、このインターホン親機５０２は、伝送線路Ｌ501を介してカメラ子機５０１に接続されている。
【０００４】
また、カメラ子機５０１は、図４のブロック図に示すように、呼出ボタン５１０、子機マイク５１４、子機スピーカ５１５等（図示せず）を有する呼出・通話部５０１ａと、ＣＣＤ素子５１１、ドライバ回路６００、信号処理回路６０１、ＡＧＣ（Automatic Gain Control）アンプ６０２、フィルタ回路６０３、ビデオアンプ６０４を有するカメラ部５０１ｂと、補助照明灯５１２、照度センサ５１３、照明駆動回路６１０、コンパレータ回路６１１を有する補助照明部５０１ｃと、インターフェース部（以下、子機Ｉ／Ｆという。）５０１ｄとから構成されている。
【０００５】
このように構成された従来例のテレビドアホン装置の動作を説明するにあたり、住戸玄関の周囲環境の照度が低いとされる夜間帯等において、住戸玄関に居る来訪者が住戸内に在室中の居住者を呼び出すために、図３のシステム説明図に示すカメラ子機５０１の呼出ボタン５１０を操作すると、伝送線路Ｌ501を介してインターホン親機５０２へと呼出信号が伝送され、この呼出信号を検出したインターホン親機５０２の制御により親機スピーカ５２０から呼出音（音声メッセージを含む）が出力されるとともに、図４のブロック図に示すカメラ子機５０１を構成するカメラ部５０１ｂのＣＣＤ素子５１１、補助照明部５０１ｃの照度センサ５１３の駆動がそれぞれ開始される。
【０００６】
図４のブロック図に示すカメラ子機５０１において、補助照明部５０１ｃの照度センサ５１３は、被写体である来訪者や住戸玄関の周囲環境の照度を検出し、検出した照度レベルの情報を付加させた照度レベル信号をコンパレータ回路６１１へと出力する。
【０００７】
また、図４のブロック図に示すカメラ子機５０１において、補助照明部５０１ｃのコンパレータ回路６１１は、照度センサ５１３からの照度レベル信号に付加されている情報と予め設定されている閾値レベルとを比較し、検出された照度レベルが閾値レベルよりも低いと判断して補助照明灯５１２を点灯させるように照明駆動回路６１０を制御する。
【０００８】
前述のように、図４のブロック図に示すカメラ子機５０１を構成する補助照明部５０１ｃの補助照明灯５１２の点灯により被写体である来訪者や住戸玄関の周囲環境の照度が確保された状態において、カメラ部５０１ｂのＣＣＤ素子５１１は、被写体である照度が確保された来訪者の映像をフレーム毎に撮像し、生成した映像信号をＡＧＣアンプ６０２へと順次出力する。
【０００９】
図４のブロック図に示すカメラ子機５０１において、カメラ部５０１ｂの信号処理回路６０１は、ＡＧＣアンプ６０２を介して増幅された映像信号を信号処理して得られる制御電圧、例えば、ＡＧＣ制御電圧の電圧レベルに対応してＡＧＣアンプ６０２の利得量（増幅利得量）を変化させＣＣＤ素子５１１の自動露光制御を行うとともに、ＡＧＣアンプ６０２を介して増幅された映像信号をＮＴＳＣ（National Television System Committee）方式の信号に信号処理してフィルタ回路６０３へとフレーム毎に順次出力する。
【００１０】
また、図４のブロック図にカメラ子機５０１において、カメラ部５０１ｂのフィルタ回路６０３は、信号処理回路６０１からのＮＴＳＣ方式の信号の高周波成分を遮断する。
【００１１】
さらに、図４のブロック図にカメラ子機５０１において、カメラ部５０１ｂのビデオアンプ６０４は、フィルタ回路６０３を通過したＮＴＳＣ方式の信号を増幅し、子機Ｉ／Ｆ５０１ｄ、伝送線路Ｌ501を介してインターホン親機５０２へとフレーム毎に順次出力することにより、カメラ部５０１ｂのＣＣＤ素子５１１にて撮像された映像であり、補助照明部５０１ｃの補助照明灯５１２の点灯により照度が確保された被写体である来訪者の映像が図３のシステム説明図に示すインターホン親機５０２のテレビモニタ５２３へとフレーム毎に出画される。
【００１２】
なお、従来例のテレビドアホン装置について開示すべき先行技術の情報はない。
【発明の開示】
【発明が解決しようとする課題】
【００１３】
しかしながら、従来例のテレビドアホン装置において、図４のブロック図に示すカメラ子機５０１を構成する補助照明部５０１ｃの照度センサ５１３は、その組成成分としてカドミウムや硫黄等の有害な成分を含んでおり、近年の環境問題の側面から鑑み使用できなくなる虞があり、また、代替品を検討するにしても別途のセンサが必要となりコストが増大する難点があった。
【００１４】
本発明は、前述の難点を解消するためになされたもので、その組成成分としてカドミウムや硫黄等の有害な成分を含んでいる照度センサを必要とせずに被写体の照度を測定し、測定された照度レベルをもとに補助照明灯の点灯制御およびＣＣＤ素子の自動露光制御を行うことにより、環境問題への対応およびコストの低減化を図ることができるテレビドアホン装置を提供することを目的としている。
【課題を解決するための手段】
【００１５】
前述の目的を達成するため、本発明のテレビドアホン装置は、インターホン親機を呼び出して通話を行うためのカメラ子機を設けている。カメラ子機は、補助照明灯から被写体を照射して被写体の映像を撮像することにより映像信号を生成するとともに被写体の照度検出を行うためのＣＣＤ素子を使用し、ＣＣＤ素子からの出力信号にて得られる被写体の照度により補助照明灯を点灯制御するものである。
【００１６】
また、本発明のテレビドアホン装置は、ＣＣＤ素子からの出力信号を信号処理して得られる制御電圧により被写体の照度を測定し、補助照明灯を点灯制御するための信号処理回路を備えている。
【００１７】
また、本発明のテレビドアホン装置において、信号処理回路は、ＣＣＤ素子からの映像信号レベルに対応して得られるＡＧＣ制御電圧により自動露光制御を行うように利得量が変化されるＡＧＣアンプを接続している。
【００１８】
また、本発明のテレビドアホン装置において、信号処理回路は、ＣＣＤ素子からの映像信号をＮＴＳＣ方式の信号に信号処理してインターホン親機のテレビモニタへ出力するものである。
【発明の効果】
【００１９】
本発明のテレビドアホン装置によれば、カメラ子機のＣＣＤ素子からの出力信号であり当該ＣＣＤ素子にて撮像された映像信号レベルに対応して信号処理回路にて得られる制御電圧、例えば、ＡＧＣ制御電圧により被写体の照度を測定し、測定された照度レベルに対応して補助照明灯を点灯制御およびＡＧＣアンプの利得量を変化させてＣＣＤ素子の自動露光制御を行うことができることから、その組成成分がカドミウムや硫黄等の有害な成分を含んでいる照度センサが不要となり環境問題への対応およびコストの低減化が図られる。
【発明を実施するための最良の形態】
【００２０】
以下、本発明のテレビドアホン装置を適用した最良の実施の形態例について、図面を参照して説明する。
【００２１】
図１は、本発明の実施例によるテレビドアホン装置の構成を示すシステム説明図である。
【００２２】
図１のシステム説明図に示すテレビドアホン装置は、住戸外、例えば、住戸玄関に設置されており、来訪者が住戸内に在室中の居住者を呼び出して通話を行うとともに、撮像した被写体である来訪者の映像信号レベルに対応した照度を測定し、測定された照度レベルが予め設定されている閾値レベルよりも低い場合、例えば、夜間帯等の場合に照度を確保するためのカメラ子機１と、住戸内に設置され、伝送線路Ｌ1を介してカメラ子機１が接続されており、カメラ子機１にて呼出操作を行った来訪者からの呼び出しが映像の出画とともに報知され、この呼出報知を確認した居住者が通話を行うためのインターホン親機２とから構成されている。
【００２３】
図１のシステム説明図において、カメラ子機１は、住戸玄関に居る来訪者が住戸内に在室中の居住者を呼び出すために操作する呼出ボタン１０と、被写体である来訪者の映像を撮像して映像信号を生成するとともに、被写体の照度を検出するためのＣＣＤ素子１１と、被写体である来訪者や住戸玄関の周囲環境の照度レベルが予め設定されている閾値レベルよりも低い場合、例えば、夜間帯等の場合に点灯し、被写体を照射して照度を確保するためのＬＥＤ（Light Emitting Diode）等の補助照明灯１２と、来訪者が呼び出した居住者との間で通話を行うための音声（音声信号）を送受信する子機マイク１３および子機スピーカ１４とを有している。
【００２４】
また、図１のシステム説明図において、インターホン親機２は、カメラ子機１の呼出ボタン１０を操作した来訪者からの呼び出しがある旨の呼出音（音声メッセージを含む）が出力されるとともに、この呼出報知を確認した居住者が来訪者との間で通話を行うにあたり当該来訪者の音声（音声信号）を受信するための親機スピーカ２０と、親機スピーカ２０とともに居住者が来訪者との間で通話を行うために使用し、音声（音声信号）を送信する親機マイク２１と、前述の呼出報知を確認した居住者が応答操作として使用する通話ボタン２２と、カメラ子機１のＣＣＤ素子１１にて撮像された映像を出画するためのＬＣＤ（Liquid Crystal Display）、有機ＥＬ（Electroluminescence）等のテレビモニタ２３とを有している。
【００２５】
なお、図１のシステム説明図において、インターホン親機２には、前述の構成各部の他に、カメラ子機１のＣＣＤ素子１１を任意に駆動させるためのカメラボタンおよび当該ＣＣＤ素子をパン・チルト動作させるためのパン・チルトボタンや補助照明灯１２を任意に点灯させるための照明ボタンを備えることもできる。
【００２６】
図２は、本発明の実施例によるテレビドアホン装置の具体的な構成を示すブロック図である。
【００２７】
図２のブロック図において、カメラ子機１は、呼出ボタン１０、子機マイク１３、子機スピーカ１４等（図示せず）を有する呼出・通話部１ａと、ＣＣＤ素子１１を有するカメラ部１ｂと、補助照明灯１２を有しており通信ラインＬ10を介してカメラ部１ｂが接続された補助照明部１ｃと、呼出・通話部１ａ、カメラ部１ｂの各構成部および伝送線路Ｌ1の間の信号伝送ラインをそれぞれ形成するためのインターフェース部（以下、子機Ｉ／Ｆという。）１ｄとから構成されている。
【００２８】
また、図２のブロック図において、カメラ子機１を構成するカメラ部１ｂには、ＣＣＤ素子１１と、ＣＣＤ素子１１を制御する、例えば、駆動開始制御やパン・チルト制御するためのドライバ回路１００と、ＣＣＤ素子１１からの出力信号である映像信号レベルに対応して得られる制御電圧、例えば、ＡＧＣ制御電圧により被写体である来訪者や住戸玄関の周囲環境の照度を測定し、測定された照度レベルをもとに補助照明部１ｃの補助照明灯１２を点灯制御するとともに、ＣＣＤ素子１１からの出力信号である映像信号を図１のシステム説明図に示すインターホン親機２のテレビモニタ２３に出画させるにあたり、ＮＴＳＣ方式の信号に信号処理するための信号処理回路１０１と、前述のＡＧＣ制御電圧により被写体である来訪者や住戸玄関の周囲環境の照度を測定した信号処理回路１０１の制御によって、ＣＣＤ素子１１の自動露光制御を行うように利得量が変化されるＡＧＣアンプ１０２と、信号処理回路１０１にて信号処理されたＮＴＳＣ方式の信号の高周波成分を遮断するためのフィルタ回路１０３と、フィルタ回路１０３を通過したＮＴＳＣ方式の信号を増幅して子機Ｉ／Ｆ１ｄに出力するためのビデオアンプ１０４とが備えられている。
【００２９】
さらに、図２のブロック図において、カメラ子機１を構成する補助照明部１ｃには、補助照明灯１２と、補助照明灯１２を点灯させるための照明駆動回路１１０と、被写体である来訪者や住戸玄関の周囲環境の照度を測定したカメラ部１ｂの信号処理回路１０１からの制御によって、前述のＡＧＣ制御電圧と予め設定されている閾値レベルとを比較して照明駆動回路１１０を制御するためのコンパレータ回路１１１とが備えられている。
【００３０】
なお、図２のブロック図において、インターホン親機２の具体的な構成の説明については省略する。
【００３１】
このように構成された本発明の実施例によるテレビドアホン装置において、以下、具体的な動作について説明する。
【００３２】
住戸玄関に居る来訪者が住戸内に在室中の居住者を呼び出すために、図１のシステム説明図に示すカメラ子機１の呼出ボタン１０を操作すると、伝送線路Ｌ1を介してインターホン親機２へと呼出信号が伝送され、この呼出信号を検出したインターホン親機２の制御により親機スピーカ２０から呼出音（音声メッセージを含む）が出力されるとともに、図２のブロック図に示すカメラ子機１を構成するカメラ部１ｂのＣＣＤ素子１１の駆動が開始される。
【００３３】
図２のブロック図に示すカメラ子機１において、カメラ部１ｂのＣＣＤ素子１１は、被写体である来訪者の映像をフレーム毎に撮像し、生成した映像信号をＡＧＣアンプ１０２へと順次出力する。
【００３４】
また、図２のブロック図に示すカメラ子機１において、カメラ部１ｂの信号処理回路１０１は、ＡＧＣアンプ１０２を介して増幅された映像信号を信号処理して得られる制御電圧、例えば、ＡＧＣ制御電圧の電圧レベルに対応して被写体である来訪者や住戸玄関の周囲近傍の照度をフレーム毎に測定する。ここで、前述の呼出操作が住戸玄関の周囲環境の照度が低いとされる夜間帯等に行われ、測定されたＡＧＣ制御電圧の電圧レベルが予め設定されている閾値レベルと比較して低いと判断した信号処理回路１０１は、ＡＧＣアンプ１０２の利得量が大きくなるように次フレーム以降におけるＣＣＤ素子１１の自動露光制御を行うとともに、測定されたＡＧＣ制御電圧の情報を付加させた制御信号を通信ラインＬ10を介して補助照明部１ｃのコンパレータ回路１１１へと出力する。
【００３５】
さらに、図２のブロック図に示すカメラ子機１において、補助照明部１ｃのコンパレータ回路１１１は、カメラ部１ｂの信号処理回路１０１からの制御信号に付加されている情報であるＡＧＣ制御電圧の電圧レベルと予め設定されている閾値レベルとを比較して、ＡＧＣ制御電圧の電圧レベルが閾値レベルよりも低いと判断すると、照明駆動回路１１０を制御して補助照明灯１２を点灯させる。
【００３６】
前述のように、図２のブロック図に示すカメラ子機１を構成する補助照明部１ｃの補助照明灯１２の点灯により被写体である来訪者や住戸玄関の周囲環境の照度が確保された状態であり、カメラ部１ｂのＣＣＤ素子１１の自動露光制御を行われている状態において、ＡＧＣアンプ１０２は、ＣＣＤ素子１１にて撮像された次フレーム以降の映像であり、生成された映像信号を大きな利得量で増幅し、信号処理回路１０１へと順次出力する。
【００３７】
図２のブロック図に示すカメラ子機１において、カメラ部１ｂの信号処理回路１０１は、ＡＧＣアンプ１０２を介して増幅された映像信号をＮＴＳＣ方式の信号に信号処理してフィルタ回路１０３へとフレーム毎に順次出力する。
【００３８】
また、図２のブロック図に示すカメラ子機１において、フィルタ回路１０３は、信号処理回路１０１からフレーム毎に順次出力されてくるＮＴＳＣ方式の信号の高周波成分を遮断する。
【００３９】
さらに、図２のブロック図に示すカメラ子機１において、カメラ部１ｂのビデオアンプ１０４は、フィルタ回路１０３を通過したＮＴＳＣ方式の信号を増幅し、子機Ｉ／Ｆ１ｄ、伝送線路Ｌ1を介してインターホン親機２へとフレーム毎に順次出力することにより、カメラ子機１を構成するカメラ部１ｂの自動露光制御が行われているＣＣＤ素子１１にて撮像された映像であり、補助照明部１ｃの補助照明灯１２の点灯により照度が確保された被写体である来訪者の映像が図１のシステム説明図に示すインターホン親機２のテレビモニタ２３へとフレーム毎に出画され、この映像は照度が確保された視認性の高い映像として出画させることができる。
【００４０】
一方、図２のブロック図に示すカメラ子機１において、前述の呼出操作が住戸玄関の周囲環境の照度が高いとされる昼間帯等に行われ、測定されたＡＧＣ制御電圧の電圧レベルが予め設定されている閾値レベルと比較して高いと判断したカメラ部１ｂの信号処理回路１０１は、ＡＧＣアンプ１０２の利得量が小さくなるように次フレーム以降におけるＣＣＤ素子１１の自動露光制御を行うとともに、測定されたＡＧＣ制御電圧の情報を付加させた制御信号を通信ラインＬ10を介して補助照明部１ｃのコンパレータ回路１１１へと出力する。
【００４１】
また、図２のブロック図に示すカメラ子機１において、補助照明部１ｃのコンパレータ回路１１１は、カメラ部１ｂの信号処理回路１０１からの制御信号に付加されている情報であるＡＧＣ制御電圧の電圧レベルと予め設定されている閾値レベルとを比較して、ＡＧＣ制御電圧の電圧レベルが閾値レベルよりもい高いと判断すると、照明駆動回路１１０を制御しないことから補助照明灯１２が点灯されることはない。
【００４２】
前述のように、図２のブロック図に示すカメラ子機１を構成する補助照明部１ｃの補助照明灯１２を点灯させずとも被写体である来訪者や住戸玄関の周囲環境の照度が確保された状態であり、カメラ部１ｂのＣＣＤ素子１１の自動露光制御を行われている状態において、ＡＧＣアンプ１０２は、ＣＣＤ素子１１にて撮像された次フレーム以降の映像であり生成された映像信号を小さな利得量で増幅し、信号処理回路１０１へと順次出力する。
【００４３】
図２のブロック図に示すカメラ子機１において、カメラ部１ｂの信号処理回路１０１は、ＡＧＣアンプ１０２を介して増幅された映像信号をＮＴＳＣ方式の信号に信号処理してフィルタ回路１０３へとフレーム毎に順次出力する。
【００４４】
また、図２のブロック図に示すカメラ子機１において、フィルタ回路１０３は、信号処理回路１０１からフレーム毎に順次出力されてくるＮＴＳＣ方式の信号の高周波成分を遮断する。
【００４５】
さらに、図２のブロック図に示すカメラ子機１において、カメラ部１ｂのビデオアンプ１０４は、フィルタ回路１０３を通過したＮＴＳＣ方式の信号を増幅し、子機Ｉ／Ｆ１ｄ、伝送線路Ｌ1を介してインターホン親機２へとフレーム毎に順次出力することにより、カメラ子機１を構成するカメラ部１ｂの自動露光制御が行われているＣＣＤ素子１１にて撮像された被写体である来訪者の映像が図１のシステム説明図に示すインターホン親機２のテレビモニタ２３へとフレーム毎に出画され、この映像は照度が確保された視認性の高い映像として出画させることができる。
【００４６】
前述のように、被写体である来訪者や住戸玄関の周囲環境の照度が低いとされる夜間帯等、または被写体である来訪者や住戸玄関の周囲環境の照度が高いとされる昼間帯等を問わずして、前述の呼出操作を行った来訪者からの呼び出しを、図１のシステム説明図に示すインターホン親機２の親機スピーカ２０からの呼出音（音声メッセージを含む）の出力およびテレビモニタ２３に出画された視認性の高い映像とともに確認した居住者が通話ボタン２２を操作すると、居住者が使用するインターホン親機２の親機スピーカ２０および親機スピーカ２１と伝送線路Ｌ1を介して来訪者が使用するカメラ子機１の子機マイク１３および子機スピーカ１４との間の通話ラインが形成され、形成された通話ラインを介して音声信号を送受信させることにより通話を行うことができ、特に、居住者にとっては来訪者の映像を確認しながら通話を行うことができる。
【００４７】
なお、本発明の実施例によれば、住戸内に在室中の居住者が住戸玄関に居る来訪者との間で通話を行うための通話機能として、図１のシステム説明図に示すように、インターホン親機２の親機スピーカ２０、親機マイク２１、通話ボタン２２を使用した拡声通話機能（ハンズフリー通話機能）を適用させたが、これに限定されず、ハンドセットを別途に設け、このハンドセットを使用したハンドセット通話機能を適用させる、または双方設けた拡声通話機能（ハンズフリー通話機能）、ハンドセット通話機能のうち何れか一方の通話機能を居住者が選択する通話機能も好適とされる。
【図面の簡単な説明】
【００４８】
【図１】本発明の実施例によるテレビドアホン装置の構成を示すシステム説明図。
【図２】本発明の実施例によるテレビドアホン装置の具体的な構成を示すブロック図。
【図３】従来例のテレビドアホン装置の構成を示すシステム説明図。
【図４】従来例のテレビドアホン装置の具体的な構成を示すブロック図。
【符号の説明】
【００４９】
１……カメラ子機
１１……ＣＣＤ素子
１２……補助照明灯
１０１……信号処理回路
１０２……ＡＧＣアンプ
２……インターホン親機
２３……テレビモニタ
【図１】
2005286539.tif 000003
【図２】
2005286539.tif 000004
【図３】
2005286539.tif 000005
【図４】
2005286539.tif 000006